(57)【要約】【課題】針金等によるサムターンの回転を阻止できるとともに、押圧操作のみによっては既存サムターンへの回転入力が行えない防犯サムターンを得る。【解決手段】防犯サムターン１１において、既存サムターンの摘みに被着されこの摘みの回動中心と同軸の軸部２９が突設された後付け摘み１３と、軸部２９の先端に抜脱不能に外挿され軸部２９に回動自在になるとともに軸線方向に移動自在となり軸部基端方向への移動によって後付け摘み１３と相対回転不能となる円形状のダイヤル１５と、軸部２９に設けられダイヤル１５の回動に節度感を生じさせるとともにダイヤル１５の軸部基端方向への移動を規制する一方、所定の回転角度でこの移動の規制を解除して後付け摘み１３とダイヤル１５とを相対回転不能にするクリック１７とを設けた。【選択図】      図１
2004150187.tif 000002
【特許請求の範囲】
【請求項１】
既存サムターンの摘みに被着され該摘みの回動中心と同軸の軸部が突設された後付け摘みと、
前記軸部に外挿され該軸部に回動自在となる円形状のダイヤルと、
前記ダイヤルの所定の回転角度位置で、前記後付け摘みと前記ダイヤルとを前記相対回転不能にする連結手段と、
を備えたことを特徴とする防犯サムターン。
【請求項２】
既存サムターンの摘みに被着され該摘みの回動中心と同軸の軸部が突設された後付け摘みと、
前記軸部の先端に抜脱不能に外挿され該軸部に回動自在になるとともに軸線方向に移動自在となり軸部基端方向への移動によって該後付け摘みと相対回転不能となる円形状のダイヤルと、
前記ダイヤルの軸部基端方向への移動を規制する一方、所定の回転角度で該移動の規制を解除して前記後付け摘みと前記ダイヤルとを前記相対回転不能にする連結手段と、
を備えたことを特徴とする防犯サムターン。
【請求項３】
既存サムターンの摘みに基端が被着され且つ該摘みの回動中心と同軸の軸部が先端に突設された後付け摘みと、
前記軸部の基端側に固設され該軸部の周囲に配設される歯部と、
前記軸部の先端に抜脱不能に外挿されて前記歯部を覆い該軸部に回動自在になるとともに軸線方向に移動自在な少なくとも一つの円形状のダイヤルと、
該ダイヤルの内周に形成され該ダイヤルの前記軸部基端方向への移動によって前記歯部に嵌合する嵌合歯部と、
前記ダイヤルの軸部基端方向への移動を規制する一方、所定の回転角度で該移動の規制を解除して前記歯部と前記嵌合歯部とを嵌合可能にする連結手段と、
を備えたことを特徴とする防犯サムターン。
【請求項４】
請求項２又は３に記載の防犯サムターンにおいて、
前記ダイヤルの軸部基端方向への移動規制を解除する前記ダイヤルの回転角度位置を示す表示手段を備えたことを特徴とする防犯サムターン。
【請求項５】
請求項１，２，３，４のいずれか１つに記載の防犯サムターンにおいて、
前記軸部から半径方向外側に付勢されて設けられ、前記ダイヤルの回動に節度感を有して進退するクリックを備えたことを特徴とする防犯サムターン。
【請求項６】
既存サムターンの摘みに基端が被着され且つ該摘みの回動中心と同軸の軸部が先端に突設された後付け摘みと、
前記軸部の基端側に固設され外周に複数の歯部を有した星型板と、
前記軸部の先端に抜脱不能に外挿されて前記星型板を覆い該軸部に回動自在になるとともに軸線方向に移動自在な少なくとも一つの円形状のダイヤルと、
該ダイヤルの内周に形成され該ダイヤルの前記軸部基端方向への移動によって前記星型板に嵌合する星型凹部と、
前記軸部から半径方向外側に付勢されて設けられ該星型凹部の各歯状凹部に節度感を有して進退するクリックと、
前記星型凹部の少なくとも一つの歯状凹部を軸線方向に深くして形成され該クリックが軸線に沿う方向で進入することで、前記星型板と前記星型凹部とが嵌合する前記ダイヤルの軸部基端方向への移動を可能とする掘下げ部と、
該掘下げ部の位置に対応する前記ダイヤルの回転角度位置を示す表示手段と、
を備えたことを特徴とする防犯サムターン。
【請求項７】
請求項１，２，３，４，５，６のいずれか１つに記載の防犯サムターンにおいて、
前記軸部の先端面に回転位置表示手段が設けられ、
前記ダイヤルには、該回転位置表示手段を透視可能な透明材からなる表示窓が嵌着されていることを特徴とする防犯サムターン。
【請求項８】
請求項１，２，３，４，５，６，７のいずれか１つに記載の防犯サムターンにおいて、
前記軸部と前記ダイヤルとが、円周方向に設けられた複数の転動体を介して回動自在に挿着されていることを特徴とする防犯サムターン。
【発明の詳細な説明】
【０００１】
【発明の属する技術分野】
本発明は、扉の施解錠操作に用いられる既存のサムターンを覆う後付けの防犯サムターンに関する。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から棒や針金等を挿入し、回転操作の容易なサムターンに係止して回転させ、施錠装置を解錠する不正解錠が増えている。
この出願の発明に関連する先行技術文献情報としては次のものがある。
【０００４】
【特許文献１】
実公平４−４０３６２号公報
【０００５】
このようなサムターンに針金等を係止して回転させることを防止するものに例えば上記特許文献１に開示されるサムターン用防犯カバーがある。
この防犯カバー１は、図８，図９に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００６】
また、上記した防犯カバーの別態様として、図１０に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。
このようにすることで、係止作業という簡単な作業で、防犯カバー１の着脱が行える。さらに係止部６ａで本体部６が空転することにより、針金等を係止させて回転させることが不可能となる。
【０００７】
さらに、上記した防犯カバーの別態様として、図１１に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００８】
【発明が解決しようとする課題】
しかしながら、図８，図９に示した防犯カバーは、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。
また、図１０に示した防犯カバーは、サムターンを回転操作可能にする取付部と、この取付部に対し空転しかつ着脱可能となる本体部とから構成されているため、脱着した本体部の保管管理が煩雑となり、本体部を紛失する虞もあった。
さらに、図１１に示した防犯カバーは、サムターンを回転させたいときは、本体部を任意の回転位置で押圧すればよいため、何らかの方法により押圧が可能となれば、サムターンの回転が可能となり、防犯性を十分に高めることができなかった。
【０００９】
本発明は上記状況に鑑みてなされたもので、その第一の目的は、針金や棒等によるサムターンの回転を阻止できるとともに、押圧操作のみによっては既存サムターンへの回転入力が行えない防犯サムターンを提供し、防犯性のさらなる向上を図ることにある。また、その第二の目的は、着脱部材が不要であり、且つサムターンの回転位置が容易に視認できる防犯サムターンを提供し、操作性の向上を図ることにある。
【００１０】
【課題を解決するための手段】
次に、上記の課題を解決するための手段を、実施の形態に対応する図面を参照して説明する。
この発明の請求項１記載の防犯サムターン１１は、既存サムターンの摘み１９に被着され該摘み１９の回動中心と同軸の軸部２９が突設された後付け摘み１３と、
前記軸部２９に外挿され該軸部２９に回動自在となる円形状のダイヤル１５と、
前記ダイヤル１５の所定の回転角度位置で、前記後付け摘み１３と前記ダイヤル１５とを前記相対回転不能にする連結手段と、
を備えたことを特徴とする。
【００１１】
請求項２記載の防犯サムターン１１は、既存サムターンの摘み１９に被着され該摘み１９の回動中心と同軸の軸部２９が突設された後付け摘み１３と、
前記軸部２９の先端に抜脱不能に外挿され該軸部２９に回動自在になるとともに軸線方向に移動自在となり軸部基端方向への移動によって該後付け摘み１３と相対回転不能となる円形状のダイヤル１５と、
前記ダイヤル１５の軸部基端方向への移動を規制する一方、所定の回転角度で該移動の規制を解除して前記後付け摘み１３と前記ダイヤル１５とを前記相対回転不能にする連結手段と、
を備えたことを特徴とする。
【００１２】
請求項３記載の防犯サムターン１１は、既存サムターンの摘み１９に基端が被着され且つ該摘み１９の回動中心と同軸の軸部２９が先端に突設された後付け摘み１３と、
前記軸部２９の基端側に固設され該軸部の周囲に配設される歯部３５と、
前記軸部２９の先端に抜脱不能に外挿されて前記歯部３５を覆い該軸部２９に回動自在になるとともに軸線方向に移動自在な少なくとも一つの円形状のダイヤル１５と、
該ダイヤル１５の内周に形成され該ダイヤル１５の前記軸部基端方向への移動によって前記歯部３５に嵌合する嵌合歯部５６と、
前記ダイヤル１５の軸部基端方向への移動を規制する一方、所定の回転角度で該移動の規制を解除して前記歯部３５と前記嵌合歯部５６とを嵌合可能とする連結手段と、
を備えたことを特徴とする。
【００１３】
請求項４記載の防犯サムターン１１は、請求項２又は３に記載の防犯サムターンにおいて、
前記ダイヤル１５の軸部基端方向への移動規制を解除する前記ダイヤル１５の回転角度位置を示す表示手段７９を備えたことを特徴とする。
【００１４】
請求項５記載の防犯サムターン１１は、請求項１，２，３，４のいずれか１つに記載の防犯サムターンにおいて、
前記軸部２９から半径方向外側に付勢されて設けられ、前記ダイヤル１５の回動に節度感を有して進退するクリック１７を備えたことを特徴とする。
【００１５】
請求項６記載の防犯サムターン１１は、既存サムターンの摘み１９に基端が被着され且つ該摘み１９の回動中心と同軸の軸部２９が先端に突設された後付け摘み１３と、
前記軸部２９の基端側に固設され外周に複数の歯部３５を有した星型板３３と、
前記軸部２９の先端に抜脱不能に外挿されて前記星型板３３を覆い該軸部２９に回動自在になるとともに軸線方向に移動自在な少なくとも一つの円形状のダイヤル１５と、
該ダイヤル１５の内周に形成され該ダイヤル１５の前記軸部基端方向への移動によって前記星型板３３に嵌合する星型凹部５５と、
前記軸部２９から半径方向外側に付勢されて設けられ該星型凹部５５の各歯状凹部５６に節度感を有して進退するクリック１７と、
前記星型凹部５５の少なくとも一つの歯状凹部５６を軸線方向に深くして形成され該クリック１７が軸線に沿う方向で進入することで、前記星型板３３と前記星型凹部５５とが嵌合する前記ダイヤル１５の軸部基端方向への移動を可能とする掘下げ部８５と、
該掘下げ部８５の位置に対応する前記ダイヤル１５の回転角度位置を示す表示手段７９と、
を備えたことを特徴とする。
【００１６】
請求項７記載の防犯サムターン１１は、請求項１，２，３，４，５，６のいずれか１つに記載の防犯サムターン１１において、
前記軸部２９の先端面に回転位置表示手段７５が設けられ、
前記ダイヤル１５には、該回転位置表示手段７５を透視可能な透明材からなる表示窓７７が嵌着されていることを特徴とする。
【００１７】
請求項８記載の防犯サムターン１１は、請求項１，２，３，４，５，６，７のいずれか１つに記載の防犯サムターン１１において、
前記軸部２９と前記ダイヤル１５とが、円周方向に設けられた複数の転動体６１を介して回動自在に挿着されていることを特徴とする。
【００１８】
この防犯サムターン１１では、着脱部材が不要になり、且つ針金や棒等を用いた場合のダイヤル１５への引っ掛かりが防止され、しかも、ダイヤル１５を空回りさせて、既存サムターンへの回転力の入力が阻止できるようになる。これに加えて、既存サムターンへ回転力を入力するには、所定の回転角度位置にて行う、或いは所定の回転角度位置に合せた後にダイヤル１５を軸部基端方向へ押圧しなければならないが、ダイヤル１５は所定の回転角度のみで移動の規制が解除されることから、従来のサムターン用防犯カバーのような単なる押圧操作のみによっては、既存サムターンへ回転力が入力されなくなる。つまり、ダイヤル１５による後付け摘みへの入力可能回転位置が探りづらくなる。
【００１９】
また、クリック１７を設けることで、ダイヤル１５の回転に節度感を得られ、操作感を向上させる。さらに、表示手段７９により、ダイヤル１５の回転角度位置を容易に視認でき、正規な操作者は、その操作である施解錠を確実に行うことが可能となる。また、この防犯サムターン１１では、後付け摘み１３及びダイヤル１５に覆われることで視認できなくなった既存サムターン摘み１９の回転位置が、回転位置表示手段７５を介して視認可能となり、ダイヤル１５を使用した際の通常操作時における施解錠が容易となる。
【００２０】
さらに、この防犯サムターン１１では、軸部２９とダイヤル１５との接触荷重が複数の転動体６１に分散され、軸部２９に対してダイヤル１５が低摩擦で回動することとなり、例えばダイヤル１５に半径方向内側の荷重を加えながら、ダイヤル１５を高速回動させることによる軸部２９の連れ回りを阻止でき、このような不正手段による解錠が不能となる。
【００２１】
【発明の実施の形態】
以下、本発明に係る防犯サムターンの好適な実施の形態を図面を参照して詳細に説明する。
図１は本発明に係る防犯サムターンの分解斜視図、図２は図１に示した防犯サムターンの分解側面図、図３は図１に示した防犯サムターンの組立て縦断面図、図４は図３のＡ−Ａ断面図、図５は図３のＢ−Ｂ断面図、図６は図３のＣ−Ｃ断面図、図７は図３に示した防犯サムターンのダイヤル押込み状態の縦断面図である。
なお、本明細書中において、基端方向とは既存サムターンに向かう方向をいい、先端方向とは軸部の突出する方向をいうものとする。
【００２２】
本実施の形態による防犯サムターン１１は、その主要な構成として、図１に示す後付け摘み１３と、ダイヤル１５と、クリック１７とを有している。
後付け摘み１３は、図２に示す既存サムターンの摘み１９に、基端が被着される。この被着は、基端部に形成した円形状の基台部２１の基端面に、摘み１９の嵌入する嵌入溝２３を形成し、この嵌入溝２３に貫通するメネジ２５に、止めネジ２７を螺合することにより、止めネジ２７の先端を摘み１９に圧接して行われる。この止めネジ２７には、六角穴付きネジが好適となる。なお、この被着には、粘着テープや接着剤が使用されてもよい。
【００２３】
後付け摘み１３の基台部２１には摘み１９の回動中心と同軸の軸部２９が突設され、軸部２９は円柱状に形成される。なお、この軸部２９の外周には、後述する転動体を装着するための軸線方向の装着溝３１が、円周方向等間隔で複数、本実施の形態では４つ形成されている。
【００２４】
また、後付け摘み１３の軸部２９の基端側周囲には星型板３３が固設され、星型板３３は外周に複数、例えば１０個程度の歯部３５を有している。星型板３３は、所定の厚みを有することで、基台部２１の先端面から突出している。
【００２５】
本実施の形態では、ダイヤル１５は、基端側ダイヤル３７と、先端側ダイヤル３９との二つのダイヤルからなる。なお、発明に係る防犯サムターンは、ダイヤルが一つであってもよく、或いは二つ以上の複数であってもよい。
【００２６】
ダイヤル１５は、基端側ダイヤル３７，先端側ダイヤル３９の順で軸部２９に挿入される。軸部２９に挿入された基端側ダイヤル３７と先端側ダイヤル３９とは、基端側ダイヤル３７の先端外周に形成した周溝４１にＣリング４３を外嵌し、このＣリング４３を先端側ダイヤル３９の基端内周に形成した係止溝４５に係止することで、軸線方向の移動が規制されて且つ相対回転可能に連結される。
【００２７】
基端側ダイヤル３７の基端側にはフレア部４９が形成され、フレア部４９は星型板３３を覆っている。また、先端側ダイヤル３９の基端側にはフレア部５１が形成され、フレア部５１は基端側ダイヤル３７の先端外周を覆っている。つまり、先端側ダイヤル３９と基端側ダイヤル３７とは、図３に示すように、オーバーハングしている。すなわち、基端側ダイヤル３７と先端側ダイヤル３９との間隙が、半径方向に直線的に形成されないようになっている。これにより、例えば基端側ダイヤル３７と先端側ダイヤル３９との間隙に紐等をくい込ませ、軸部２９への接触を直接可能にすることが阻止されている。
【００２８】
基端側ダイヤル３７及び先端側ダイヤル３９の基端側には星型板３３に嵌合する星型凹部５５が形成されている。基端側ダイヤル３７は、軸部２９に対して回動自在になるとともに軸線方向に移動自在となっている。基端側ダイヤル３７は、軸部基端方向へ移動されることによって、星型板３３に星型凹部５５を嵌合させて、すなわち星型板３３の各歯部３５に、星型凹部５５を構成する嵌合歯部としての歯状凹部５６が嵌合することで後付け摘み１３と相対回転不能となる。
【００２９】
後付け摘み１３の基台部２１，基端側ダイヤル３７，先端側ダイヤル３９の外形状は、全て円形状となっている。これにより、針金等による引っ掛かりが防止できるようになっている。
【００３０】
軸部２９の外周に形成されたそれぞれの装着溝３１には図４に示す棒状の転動体（ころ）６１が装着され、基端側ダイヤル３７と先端側ダイヤル３９とはこの転動体６１を介して回動自在に軸部２９に挿着される。このような転動体６１を介在させることにより、軸部２９とダイヤル１５との接触荷重が複数の転動体６１に分散され、軸部２９に対してダイヤル１５が低摩擦で回動することとなり、例えばダイヤル１５に半径方向内側の荷重を加えながらの回転、或いはダイヤル１５を高速回動させることによる軸部２９の連れ回りが阻止できるようになっている。
【００３１】
基端側ダイヤル３７及び先端側ダイヤル３９には軸部２９を貫通させる貫通穴６３，６５が形成されている。先端側ダイヤル３９の貫通穴６５は、先端側ダイヤル３９の先端面で、段付穴６７となって開口されている。この段付穴６７には軸部２９の先端面が表出する。段付穴６７に表出した軸部２９の先端面には小円板状のキャップ６９がキャップビス７１によって固着される。キャップ６９は、軸部２９と一体固定される一方、段付穴６７の内部に遊嵌されている。
【００３２】
後付け摘み１３と基端側ダイヤル３７との間には圧縮バネ７３が配設され、圧縮バネ７３は基端側ダイヤル３７及び先端側ダイヤル３９を、軸部２９の先端方向に向けて付勢している。軸部２９の先端側に付勢された基端側ダイヤル３７及び先端側ダイヤル３９は、先端側ダイヤル３９の段付穴６７に配置されたキャップ６９によって、軸部２９からの抜脱が規制される。
【００３３】
キャップ６９の表面、すなわち、軸部２９の先端面には、回転位置表示手段である表示シール７５が貼着される。本実施の形態では、図１に示すように、直線状の標示とされている。さらに、段付穴６７には、表示シール７５を透視可能な透明材からなる表示窓７７が嵌着されている。
【００３４】
また、基端側ダイヤル３７，先端側ダイヤル３９の外周には、軸線方向に長い表示手段としてのマーク７９，７９が形成されている。これらマーク７９，７９は、好ましくは印刷などの手段で設けられ、各ダイヤル３７，３９の外周面に対し凸状或いは凹状とならないように形成される。
【００３５】
軸部２９には、半径方向に穿設した二つの収容孔８１，８１が穿設され、この収容孔８１には規制手段を構成するクリック１７が収容される。クリック１７は、クリックピン８３ａと、クリックピン８３ａと収容孔底部との間に配設される圧縮バネ８３ｂとからなる。クリックピン８３ａは、圧縮バネ８３ｂによって、半径方向外側へ付勢されている。
【００３６】
基端側のクリックピン８３ａは、図６に示すように、軸部２９に挿着された基端側ダイヤル３７の星型凹部５５に半径方向外側に向かって当接する。先端側のクリックピン８３ａは、図５に示すように、同じく軸部２９に挿着された先端側ダイヤル３９の星型凹部５５に半径方向外側に向かって当接している。各クリックピン８３ａは、星型凹部５５の各歯状凹部５６に当接して進退することで、節度感（クリック感）を生じさせるようになっている。
【００３７】
ここで、基端側ダイヤル３７及び先端側ダイヤル３９における星型凹部５５の少なくとも一つの歯状凹部５６には、この歯状凹部５６を軸線方向に深くして形成した掘下げ部８５が形成されている。したがって、この掘下げ部８５にクリックピン８３ａが一致した歯状凹部５６では、クリックピン８３ａが掘下げ部８５に進入可能となり、ダイヤル１５（基端側ダイヤル３７及び先端側ダイヤル３９）が軸部基端方向へ移動できる。換言すれば、掘下げ部８５が形成された以外の歯状凹部５６にクリックピン８３ａが配置された状態では、ダイヤルは軸部基端方向へ移動が規制されるようになっている。すなわち、これらクリック１７と歯状凹部５６（星型凹部５５）と堀下げ部８５とで連結手段を構成する。
【００３８】
クリックピン８３ａが掘下げ部８５に一致する回転位置は、予め設定したマーク７９，７９の位置、本実施の形態では上、により知ることができる。基端側ダイヤル３７は、この移動により、星型凹部５５が星型板３３に嵌合可能となる。したがって、クリックピン８３ａは、ダイヤル１５の軸部基端方向への移動を規制する一方、所定の回転角度で該移動の規制を解除して、後付け摘み１３と基端側ダイヤル３７とを相対回転不能にする。
【００３９】
なお、基端側ダイヤル３７に形成した掘下げ部８５は、基端側ダイヤル３７を軸部２９に挿通する際、すなわち、組立時に挿通させることから、基端側のクリックピン８３ａを通過しなければならないため、図示のようにテーパ状に形成することが好ましい。
【００４０】
軸部２９の先端面にキャップ６９を固定することで、一体に組みつけられた後付け摘み１３，基端側ダイヤル３７，及び先端側ダイヤル３９は、化粧リング９１によって、後付け摘み１３と、基端側ダイヤル３７の一部とが覆われる。化粧リング９１は、摘みワッシャー９３を介して、後付け摘み１３のフランジ部９５に当接した化粧バネ９７によって扉面９９に押圧されるようになっている。
【００４１】
上記のように構成される防犯サムターン１１を、既存サムターンの摘み１９に取り付けるには、既存サムターンの摘み１９を施錠状態とし、化粧リング９１，後付け摘み１３，基端側ダイヤル３７，及び先端側ダイヤル３９が一体に組み立てられた防犯サムターン１１を、既存サムターンの摘み１９へと押込む。
【００４２】
次いで、化粧リング９１に開いている止め穴１０１から後付け摘み１３の基台部２１に止めネジ２７を螺合し、六角レンチで締めることにより、後付け摘み１３を既存サムターンの摘み１９に固定する。
最後に、化粧リング９１の止め穴１０１に、化粧キャップ１０３を圧入して防犯サムターン１１の取り付けが完了する。
【００４３】
次に、このようにして、既存サムターンの摘み１９に取り付けられた防犯サムターン１１の動作を説明する。
防犯サムターン１１は、基端側ダイヤル３７と先端側ダイヤル３９とのそれぞれの星型凹部５５の歯状凹部５６に、クリックピン８３ａが当接することで、ダイヤル１５の回動に伴い個々の歯状凹部５６に反応してクリック感が生じる。
【００４４】
この状態で、基端側ダイヤル３７、先端側ダイヤル３９、及び化粧リング９１は、自由に回動自在となる。
その一方、ダイヤル１５（基端側ダイヤル３７，先端側ダイヤル３９）は、クリックピン８３ａが掘下げ部８５に一致していないため、軸線方向には移動不能となる。
【００４５】
解錠操作時には、個々のダイヤル１５（基端側ダイヤル３７，先端側ダイヤル３９）のマーク７９，７９を上に合わせる。すると、個々のダイヤル１５（基端側ダイヤル３７，先端側ダイヤル３９）の掘下げ部８５が、クリックピン８３ａと一致し、クリックピン８３ａが掘下げ部８５に進入可能となる。すなわち、ダイヤル１５が軸部２９の基端方向へ移動可能となる。この状態で、基端側ダイヤル３７と先端側ダイヤル３９とを、図７に示すように、押込む。
【００４６】
すると、基端側ダイヤル３７の星型凹部５５が後付け摘み１３の星型板３３に嵌合し、ダイヤル１５と後付け摘み１３との相対回転が規制されて、後付け摘み１３、すなわち、既存サムターンの摘み１９が解錠回転可能となる。
【００４７】
施錠操作は、この解錠操作と同様にして行うことができる。
【００４８】
この際、基端側ダイヤル３７と先端側ダイヤル３９とは、相対回転可能となって一体に連結されているため、いずれか一方のマーク７９のみを上に合わせたのみでは、軸線方向の移動が不能となる。つまり、基端側ダイヤル３７と先端側ダイヤル３９との双方のマーク７９，７９を上方にて一致させなければ、押込みが行えないこととなる。このことから、マーク７９，７９が視認できない手探りによる不正解錠では、歯部３５が１０個である場合、１０桁が２枚となることからその組合せとして最大１００回の位置あわせをしなければ、押込みが行えないようになっている。
【００４９】
このように、上記したこの防犯サムターン１１によれば、着脱部材が不要になり、且つ針金や棒等を用いた場合のダイヤル１５への引っ掛かりが防止され、しかも、ダイヤル１５を空回りさせて、既存サムターンへの回転力の入力が阻止できるようになる。これに加えて、既存サムターンへ回転力を入力するには、ダイヤル１５を軸部基端方向へ押圧しなければならないが、ダイヤル１５は所定の回転角度のみで移動の規制が解除されることから、従来のサムターン用防犯カバーのような単なる押圧操作のみによっては、既存サムターンへ回転力が入力されなくなる。つまり、ダイヤル１５による既存サムターンへの入力可能回転位置が探りづらくなる。
【００５０】
また、後付け摘み１３、ダイヤル１５に覆われることで視認できなくなった既存サムターンの摘み１９の回転位置が、表示シール７５、表示窓７７を介して視認可能となり、ダイヤル１５を使用した通常操作における施解錠が容易となり、操作性の低下することがない。
【００５１】
なお、上記実施の形態では、マーク７９を、単純を位置を示すものとしたが、このマーク７９を数字や文字などで表してもよい。
【００５２】
【発明の効果】
以上説明したように、本発明に係る防犯サムターンによれば、既存サムターンの摘みに被着され軸部が突設された後付け摘みと、軸部に外挿されこの軸部に回動自在となる円形状のダイヤルと、ダイヤルの所定の回転角度位置で後付け摘みとダイヤルとを相対回転不能にする連結手段とを備えたので、着脱部材を不要にし、且つ針金や棒等を用いた場合のダイヤルへの引っ掛かりを防止し、しかも、ダイヤルを空回りさせて、既存サムターンへの回転力の入力を阻止することができる。また、既存サムターンへ回転力を入力するには、ダイヤルを所定の回転角度位置に合せなければならないので、単なる回転等の操作のみによっては既存サムターンへ回転力を入力することができない。つまり、ダイヤルの後付け摘みへの入力可能回転位置を探りづらくすることができる。この結果、着脱部材を不要にすることで操作性を向上させ、しかも、防犯性をさらに向上させることができる。
【００５３】
また、本発明に係る防犯サムターンによれば、既存サムターンの摘みに被着され軸部が突設された後付け摘みと、軸部の先端に抜脱不能に外挿され軸部基端方向への移動によって後付け摘みと相対回転不能となる円形状のダイヤルと、ダイヤルの軸部基端方向への移動を規制する一方、所定の回転角度で当該移動の規制を解除するクリックとを備えたので、着脱部材を不要にし、且つ針金や棒等を用いた場合のダイヤルへの引っ掛かりを防止し、しかも、ダイヤルを空回りさせて、既存サムターンへの回転力の入力を阻止することができる。また、既存サムターンへ回転力を入力するには、ダイヤルを軸部基端方向へ押圧しなければならないが、ダイヤルは所定の回転角度のみで移動の規制が解除されるので、単なる押圧操作のみによっては既存サムターンへ回転力を入力することができない。つまり、ダイヤルの後付け摘みへの入力可能回転位置を探りづらくすることができる。この結果、着脱部材を不要にすることで操作性を向上させ、しかも、防犯性をさらに向上させることができる。
【００５４】
また、本発明の防犯サムターンによれば、複数の歯部を有した星型板が軸部の基端側に固設され、ダイヤルの内周に、ダイヤルの軸部基端方向への移動によって星型板に嵌合する星型凹部が形成され、星型凹部の少なくとも一つの歯状凹部に、クリックの進入する掘下げ部が形成されているので、ダイヤルの軸部基端方向への移動を規制する一方、所定の回転角度でのみ、クリックを掘下げ部へ進入させて移動の規制を解除できる。すなわち、単なる押圧操作のみによっては既存サムターンへの回転力の入力を行えなくすることができる。これにより、ダイヤルの後付け摘みへの入力可能回転位置を探りづらくすることができ、防犯性を向上させることができる。
【００５５】
さらに本発明の防犯サムターンによれば、軸部の先端面に回転位置表示手段が設けられ、ダイヤルには、回転位置表示手段を透視可能な透明材からなる表示窓が嵌着されているので、後付け摘み、ダイヤルに覆われることで視認できなくなった既存サムターン摘みの回転位置を、回転位置表示手段を介して知ることができ、操作性を向上させることができる。
【００５６】
また、本発明の防犯サムターンによれば、軸部とダイヤルとが、円周方向に設けられた複数の転動体を介して回動自在に挿着されるので、軸部に対してダイヤルが低摩擦で回動することとなり、例えばダイヤルに半径方向内側の荷重を加えながら、ダイヤルを高速回動させることによる軸部の連れ回りを阻止でき、このような不正手段による解錠を防止して、防犯性を向上させることができる。
【図面の簡単な説明】
【図１】本発明に係る防犯サムターンの分解斜視図である。
【図２】図１に示した防犯サムターンの分解側面図である。
【図３】図１に示した防犯サムターンの組立て縦断面図である。
【図４】図３のＡ−Ａ断面図である。
【図５】図３のＢ−Ｂ断面図である。
【図６】図３のＣ−Ｃ断面図である。
【図７】図３に示した防犯サムターンのダイヤル押込み状態の縦断面図である。
【図８】従来の防犯カバーの扉への取り付け状態を示す斜視図である。
【図９】図８に示した防犯カバーの内部状態を表す断面図である。
【図１０】図８に示した防犯カバーの別態様を表す部分破断側面図である。
【図１１】図８に示した防犯カバーのさらに別態様を表す部分破断側面図である。
【符号の説明】
１１…防犯サムターン
１３…後付け摘み
１５…ダイヤル
１７…クリック
１９…既存サムターンの摘み
２９…軸部
３３…星型板
３５…歯部
５５…星型凹部
５６…歯状凹部（嵌合歯部）
６１…転動体
７５…回転位置表示手段（表示シール）
７７…表示窓
７９…表示手段（マーク）
８５…掘下げ部
【図１】
2004150187.tif 000003
【図２】
2004150187.tif 000004
【図３】
2004150187.tif 000005
【図４】
2004150187.tif 000006
【図５】
2004150187.tif 000007
【図６】
2004150187.tif 000008
【図７】
2004150187.tif 000009
【図８】
2004150187.tif 000010
【図９】
2004150187.tif 000011
【図１０】
2004150187.tif 000012
【図１１】
2004150187.tif 000013